(57)【要約】【課題】折曲げ加工可能な厚紙で製作され、上蓋上方に容器本体と一体にベルト状手提げ部が形成される手提げ式容器を提供する。【解決手段】前側、後側天面部１３、１３Ａ間にこれらの天面側端用折目１５を介して連設された天面連設部２６、２６Ａと、その上方へ延設され、かつベルト折畳用折目２３を介してベルト側面部２２が連設されたベルト部２１とを備えたベルト状把持部が、側面部１２〜１２Ｂに形成され、またベルト折畳用折目２３は、天面側端用折目１５の基端まで延長され、上方開口部の開口した容器組立て状態で前側、後側天面部１３、１３Ａが閉鎖位置へ折曲げられるのに連動して、天面連設部２６、２６Ａが、天面側端用折目１５を介して前側、後側天面部１３、１３Ａに対して谷折されると共にベルト折畳用折目２３で山折される過程において、ベルト側面部２２の折返しに連動して、ベルト部２１が前側、後側天面部１３、１３Ａの上方へ曲げられる。【選択図】図２
2015074455.tif 000002
【特許請求の範囲】
【請求項１】
折曲げ加工可能なシートの展開板に、前面部及び後面部と、両側の側面部と、少なくとも前面部及び後面部に形成された天面基端用折目を介して上方へ連設された前側天面部及び後側天面部と、底面部と、手提げ部とが形成されることにより、上方開口部が開口し、下方開口部が底面部で閉鎖されて前面部と後面部及び両側の側面部が互いに対称面状に組立てられた状態で、互いに対称面状の前側天面部及び後側天面部が、天面基端用折目を支点として前後方向中間位置に折曲げられてそれぞれの天面上端縁が互いに当接することにより、上方開口部が閉鎖される手提げ式容器において、
前側天面部及び後側天面部の両側の前後の側端間にこれらの側端に形成された天面側端用折目を介して連設された両側の天面連設部と、これらの天面連設部に上方へ向けて延設され、かつベルト折畳用折目を介してベルト側面部が連設されたベルト部とを備えたベルト状把持部が、手提げ部として側面部に同一面状に上方へ向けて形成され、また前記ベルト折畳用折目は、前記天面連設部に介在するように前記天面側端用折目の基端まで延長され、
上方開口部の開口した組立て状態で前記前側天面部及び前記後側天面部が閉鎖位置へ折曲げられるのに連動して、前記天面連設部が、前記天面側端用折目を介して隣合う前記前側天面部及び前記後側天面部に対して谷折されると共に、前記ベルト折畳用折目を介して山折されて折畳まれる過程において、前記ベルト側面部が、天面上端縁へ向けて曲げられつつ前記ベルト折畳用折目で折返されるのに連動して、両側の前記ベルト部が、前記前側天面部及び前記後側天面部の上方へ曲げられることを特徴とする手提げ式容器。
【請求項２】
前面部及び後面部並びに側面部が方形状であり、天面側端用折目が、前記前面部及び前記後面部の側端の折目の延長線上に形成されることにより、直方体状に組立てられ、
前記前側天面部及び前記後側天面部の縦幅は、閉鎖位置で山形を形成するように、前記前面部及び前記後面部間の前後幅の半分よりも広く設定され、
ベルト側面部の側縁は、天面上端縁の側端から前記ベルト側面部の横幅を徐々に狭くする曲線領域を経て垂直状に上昇し、またベルト折畳用折目は、垂直状に下降して前記曲線領域に対応する高さ領域の曲線領域を経て前記天面側端用折目の基端まで延長され、
天面連設部が谷折及び山折される過程において、前記ベルト側面部の前記側縁の前記曲線領域が、前記天面上端縁へ向けて曲がるのに連動して、ベルト部が前記ベルト折畳用折目の前記曲線領域で前記前側天面部及び前記後側天面部の上方へ曲げられることにより、把持用開口部が形成されることを特徴とする請求項１記載の手提げ式容器。
【請求項３】
組立て状態で前面部及び後面部と側面部間のコ―ナ部分が曲面状に形成され、天面基端用折目が、前記前面部及び前記後面部からそれぞれ隣合う前記側面部に部分的に侵入して徐々に上昇する円弧状に形成されると共に、天面上端縁は、前側天面部及び後側天面部の縦幅を、閉鎖位置で山形を形成するように前記前面部及び前記後面部間の前後幅の半分よりも広く設定する円弧状に形成され、
前記天面上端縁の側端が、同一横幅で上昇するベルト側面部の側縁基端に連続し、また天面側端用折目が、前記側縁基端よりも斜め下方へ略直線状に延長されたベルト折畳用折目の基端まで下向きの傾斜直線状に形成され、さらに前記基端に、前記天面基端用折目が円弧状から徐々に略直線状になって連続し、
天面連設部が谷折及び山折される過程において、前記天面側端用折目が傾斜角度を徐々に浅くしつつ閉鎖位置に折曲げられるのに連動して、前記ベルト側面部が折返されてベルト部と一体に前記前側天面部及び前記後側天面部の上方へ曲げられることにより、把持用開口部が形成されることを特徴とする請求項１記載の手提げ式容器。
【請求項４】
前面部及び後面部並びに側面部が方形状であり、天面側端用折目が、前記前面部及び前記後面部の側端の折目の延長線上に形成されることにより、直方体状に組立てられ、
前側天面部及び後側天面部の縦幅は、閉鎖位置で水平面になるように、前記前面部及び前記後面部間の前後幅の半分に設定され、
天面連設部の中間領域にベルト部及びベルト側面部がそれぞれ同一横幅で延設されると共に、前記天面連設部の上端縁は、天面上端縁の側端から前記ベルト側面部の基端に下向きに傾斜して延び、次いで同一方向に連続して前記ベルト側面部の基端にベルト側面基端用折目が形成され、さらに連続してベルト部の基端に水平方向のベルト基端用折目が形成され、
前記天面連設部が谷折及び山折される過程において、前記天面連設部の前記上端縁及び前記ベルト側面基端用折目が前記水平面に対して直角状に折返されることにより、前記ベルト側面部が水平状に折曲げられると共に、この折曲げに連動して前記ベルト部も前記ベルト基端用折目で前記水平状に折曲げられて、方形状の把持用開口部が形成されることを特徴とする請求項１記載の手提げ式容器。
【請求項５】
両側のベルト部間に、上向きの係入片を両側に備えた合成樹脂製の取手が介在すると共に、両側のベルト部の先端領域に、前記係入片を係入させる係入孔が、折畳まれたベルト側面部を通して穿孔されることを特徴とする請求項１乃至請求項４のいずれか記載の手提げ式容器。
【請求項６】
折曲げ加工可能なシートの展開板が、１枚の厚紙であることを特徴とする請求項１乃至請求項５のいずれか記載の手提げ式容器。
【発明の詳細な説明】
【技術分野】
【０００１】
本発明は、折曲げ加工可能な厚紙等のシートの展開板に、前面部及び後面部と、これらに折目を介して上方へ連設された前側天面部及び後側天面部と、両側の側面部と、底面部と、手提げ部とが形成されることにより、下方開口部が底面部で閉鎖されて前面部と後面部、両側の側面部がそれぞれ対称面状に組立てられ、上方開口部が開口している状態で、販売商品等を収納して前側天面部及び後側天面部を中間位置に折曲げて、上方開口部を閉鎖させる手提げ式容器に関するものである。
【背景技術】
【０００２】
この種の手提げ式容器は周知であり、特許文献１によれば、１枚の折曲げ加工可能な厚紙の展開板より製作されたケーキ用手提げ式紙箱において、閉鎖位置で対接固定される両側の天面に、手提げ部が手で握るようにコの字形に切欠いて形成されている。
【０００３】
特許文献２によれば、天面に半円状の取手を切目により形成して起立させたり、或いは厚紙或いは段ボール製のコの字形に形成した取手を交換可能にしてデザインを変え得るようにしたケーキ箱も提案されている。
【先行技術文献】
【特許文献】
【０００４】
【特許文献１】特開平７−２５７５５１号公報
【特許文献２】特開２００１−１８９４８号公報
【発明の概要】
【発明が解決しようとする課題】
【０００５】
この種のコの字形もしくは半円状に形成されて厚紙等のシート面を縦方向状態で把持する手提げ部は、持運ぶ際にシート面が縦方向に手に食込む感触を生じる特徴があり、重量のある商品を収納すると、その感触が強くなる。一方、厚紙等の使用を前提にしない手提げバッグ類については、面状に手に食込む手提げベルトを備えたのが周知である。
【０００６】
本発明は、このような点に鑑みて、折曲げ加工可能なシートから製作されて上蓋となる天面付きの手提げ式容器において、天面の上方に容器本体と一体にベルト状手提げ部を形成可能にする手提げ式容器を提供することを目的とする。
【課題を解決するための手段】
【０００７】
本発明は、この目的を達成するために、請求項１の発明によれば、折曲げ加工可能なシートの展開板に、前面部及び後面部と、両側の側面部と、少なくとも前面部及び後面部に形成された天面基端用折目を介して上方へ連設された前側天面部及び後側天面部と、底面部と、手提げ部とが形成されることにより、上方開口部が開口し、下方開口部が底面部で閉鎖されて前面部と後面部及び両側の側面部が互いに対称面状に組立てられた状態で、互いに対称面状の前側天面部及び後側天面部が、天面基端用折目を支点として前後方向中間位置に折曲げられてそれぞれの天面上端縁が互いに当接することにより、上方開口部が閉鎖される手提げ式容器において、前側天面部及び後側天面部の両側の前後の側端間にこれらの側端に形成された天面側端用折目を介して連設された両側の天面連設部と、これらの天面連設部に上方へ向けて延設され、かつベルト折畳用折目を介してベルト側面部が連設されたベルト部とを備えたベルト状把持部が、手提げ部として側面部に同一面状に上方へ向けて形成され、またベルト折畳用折目は、天面連設部に介在するように天面側端用折目の基端まで延長され、上方開口部の開口した組立て状態で前側天面部及び後側天面部が閉鎖位置へ折曲げられるのに連動して、天面連設部が、天面側端用折目を介して隣合う前側天面部及び後側天面部に対して谷折されると共に、ベルト折畳用折目を介して山折されて折畳まれる過程において、ベルト側面部が、天面上端縁へ向けて曲げられつつベルト折畳用折目で折返されるのに連動して、両側のベルト部が、前側天面部及び後側天面部の上方へ曲げられることを特徴とする。
【０００８】
前面部及び後面部、両側の側面部、前側天面部及び後側天面部、両側のベルト状把持部は、下方開口部が底面部で閉鎖されて上方開口部が開口した状態の容器として組立てられる。次いで、上方開口部を閉鎖するために、前側天面部及び後面天面部を閉鎖位置へ折曲げると、連動して天面連設部の前側天面部又は後側天面部に隣合う領域が、天面側端用折目を介してこれらの天面部に対して谷折されると共に、天面側端用折目と基端を共通にし、かつ天面連設部に介在するベルト折畳用折目を介して、ベルト部下方の天面連設部の領域に対して山折されて折畳まれる。この谷折及び山折の過程で、ベルト側面部が、ベルト折畳用折目で折返されると共に、ベルト部も一体になって前側天面部及び後側天面部の上方へ向けて曲げられる。これにより、両側のベルト部は、上蓋となる前側天面部及び後側天面部間に把持用開口部を形成した状態で直接又は間接的に互いに連結可能になる。
【０００９】
請求項２の発明によれば、前面部及び後面部並びに側面部が方形状であり、天面側端用折目が、前面部及び後面部の側端の折目の延長線上に形成されることにより、直方体状に組立てられ、前側天面部及び後側天面部の縦幅は、閉鎖位置で山形を形成するように、前面部及び後面部間の前後幅の半分よりも広く設定され、ベルト側面部の側縁は、天面上端縁の側端からベルト側面部の横幅を徐々に狭くする曲線領域を経て垂直状に上昇し、またベルト折畳用折目は、垂直状に下降して曲線領域に対応する高さ領域の曲線領域を経て天面側端用折目の基端まで延長され、天面連設部が谷折及び山折される過程において、ベルト側面部の側縁の曲線領域が、天面上端縁へ向けて曲がるのに連動して、ベルト部がベルト折畳用折目の曲線領域で前側天面部及び後側天面部の上方へ曲げられることにより、把持用開口部が形成される。
【００１０】
この発明では、前面側天面部及び後面側天面部が閉鎖位置へ折曲げられて山形を形成するのに連動して天面連設部が谷折及び山折される過程において、ベルト側面部の側縁の曲線領域が、山形を形成する前側天面部及び後面天面部から上昇しつつその上方へ向けて曲げられ、ベルト部も一体になって曲げられる。これにより、両側のベルト部は、互いに連結可能になると共に、前記曲線領域とで把持用開口部が形成され、前後の天面側端用折目間が天面連設部で閉鎖される。
【００１１】
請求項３の発明によれば、組立て状態で前面部及び後面部と側面部間のコ―ナ部分が曲面状に形成され、天面基端用折目が、前面部及び後面部からそれぞれ隣合う側面部に部分的に侵入して徐々に上昇する円弧状に形成されると共に、天面上端縁は、前側天面部及び後側天面部の縦幅を、閉鎖位置で山形を形成するように前面部及び後面部間の前後幅の半分よりも広く設定する円弧状に形成され、天面上端縁の側端が、同一横幅で上昇するベルト側面部の側縁基端に連続し、また天面側端用折目が、側縁基端よりも斜め下方へ略直線状に延長されたベルト折畳用折目の基端まで下向きの傾斜直線状に形成され、さらに前記基端に、天面基端用折目が円弧状から徐々に略直線状になって連続し、天面連設部が谷折及び山折される過程において、天面側端用折目が傾斜角度を徐々に浅くしつつ閉鎖位置に折曲げられるのに連動して、ベルト側面部が折返されてベルト部と一体に前側天面部及び後側天面部の上方へ曲げられることにより、把持用開口部が形成される。
【００１２】
この発明では、前面側天面部及び後面側天面部が、側面部に向けて徐々に上昇する凹状円弧の天面基端用折目を支点として閉鎖位置へ折曲げられて山形を形成するのに連動して、天面連設部が谷折及び山折される過程において、傾斜した天面側端用折目が傾斜角度を徐々に浅くしつつ閉鎖位置に折曲げられるのに連動して、ベルト側面部が折返されてベルト部と一体に前側天面部及び後面天面部の上方へ曲げられる。これにより、両側のベルト部は、互いに連結可能になると共に、円弧状天面上端縁とで把持用開口部が形成され、前後の天面側端用折目間が天面連設部で閉鎖される。
【００１３】
請求項４の発明によれば、前面部及び後面部並びに側面部が方形状であり、天面側端用折目が、前面部及び後面部の側端の折目の延長線上に形成されることにより、直方体状に組立てられ、前側天面部及び後側天面部の縦幅は、閉鎖位置で水平面になるように、前面部及び後面部間の前後幅の半分に設定され、天面連設部の中間領域にベルト部及びベルト側面部がそれぞれ同一横幅で延設されると共に、天面連設部の上端縁は、天面上端縁の側端からベルト側面部の基端に下向きに傾斜して延び、次いで同一方向に連続して前記ベルト側面部の基端にベルト側面基端用折目が形成され、さらに連続してベルト部の基端に水平方向のベルト基端用折目が形成され、天面連設部が谷折及び山折される過程において、天面連設部の上端縁及びベルト側面基端用折目が水平面に対して直角状に折返されることにより、ベルト側面部が水平状に折曲げられると共に、この折曲げに連動してベルト部もベルト基端用折目で水平状に折曲げられて、方形状の把持用開口部が形成される。
【００１４】
この発明では、前面側天面部及び後面側天面部が閉鎖位置で水平面を形成するのに連動して、天面連設部が谷折及び山折される過程において、天面連設部の上端縁及びベルト側面基端用折目が、前記水平面に直交する垂直面で前側天面部側では前方へ、後側天面部側では後方へ向けて上昇するのに伴って徐々に互いに離反する直線となり、この直線に沿ってベルト側面部が前記垂直面に対して直角状に折曲げられ、これに連動してベルト部がベルト基端用折目で同様に直角状に折曲げられる。これにより、両側のベルト部は、互いに連結可能になると共に、前記水平面から垂直状に突出する天面連設部とで方形状の把持用開口部が形成される。
【００１５】
請求項５の発明によれば、前述の各発明において、両側のベルト部間に、上向きの係入片を両側に備えた合成樹脂製の取手が介在すると共に、両側のベルト部の先端領域に、前記係入片を係入させる係入孔が、折畳まれたベルト側面部を通して穿孔されるようにもできる。この場合、ベルト状把持部は、ベルト部を直接把持させるのでなく、両側のベルト部が、別体の取手の係入片に対する複数層の係入面として機能する。
【００１６】
請求項６の発明によれば、前述の各発明において、折曲げ加工可能なシートの展開板が、１枚の厚紙にすることができる。
【発明の効果】
【００１７】
請求項１の発明によれば、上蓋になる前後の天面部間に連設されるベルト状把持部により、製作コスト上有利な厚紙等の折曲による組立を前提に、天面部の上方に手提げ部としてのベルト部が容器本体と一体に形成される手提げ式容器が実現される。ベルト部にベルト側面部も一体に重ねられ、収納物の荷重に対する強度も確保される。その際、請求項２の発明によれば、開口部が山形の天面部で閉鎖される特異な形状の直方体状の容器が、製作可能となる。請求項３の発明によれば、周面コ―ナ部が曲面状で、上方開口部が上下端を円弧状にした天面部により山形に閉鎖される意匠性の優れた容器が、製作可能となる。請求項４の発明によれば、水平状に閉鎖した天面部に対して方形状の把持開口部を形成する全体として直方体状の容器が、製作可能となる。請求項５の発明によれば、両側のベルト間に、合成樹脂製の取手を介在させる場合に、その係入片を下方から上方へ向けて係入させる係入孔が、ベルト面に容易に形成され、また先端領域でのベルト側面の変形或いはベルト部自体の折返し等で複数層に穿孔されることにより、その強度を容易に確保できる。請求項６の発明によれば、１枚の展開板から手提げベルト付きの容器が簡単に組立てられる。
【図面の簡単な説明】
【００１８】
【図１】本発明の実施の形態による手提げ式容器を製作するための展開板の正面図である。
【図２】同手提げ式容器の上方開口部を開口している組立て状態の斜視図である。
【図３】同手提げ式容器の上方開口部を閉鎖した組立て状態の斜視図である。
【図４】本発明の別の実施の形態による手提げ式容器を製作するための展開板の正面図である。
【図５】図４による手提げ式容器の上方開口部を開口している組立て状態の斜視図である。
【図６】図４による手提げ式容器の上方開口部を閉鎖した組立て状態の斜視図である。
【図７】本発明のさらに別の実施の形態による手提げ式容器を製作するための展開板の正面図である。
【図８】図７による手提げ式容器の上方開口部を開口している組立て状態の斜視図である。
【図９】図７による手提げ式容器の上方開口部を閉鎖した組立て状態の斜視図である。
【図１０】図４による手提げ式容器の変形例を示す斜視図である。
【発明を実施するための形態】
【００１９】
図１乃至図３を基に本発明の実施の形態による手提げ式容器を説明する。図３において、１０は手を挿入するための把持用開口部１０ａを形成して直方体状に組立てられたこの手提げ式容器を示すもので、図１に示すように、組立て状態で互いに対称面状の前面部１１及び後面部１１Ａと、同様に互いに対称面状の両側の側面部１２、１２Ａ及び貼着用の側面部１２Ｂと、これらの側面部に上方へ向けて同一面状に延設された同様に互いに対称面状のベルト状把持部２０、２０Ａ、２０Ｂと、前面部１１及び後面部１１Ａにそれぞれ天面基端用折目１７を介して上方へ連設されて同様に互いに対称面状の前側天面部１３及び後側天面部１３Ａと、下方開口部を閉鎖する底面部３０とを、前面部１１及び後面部１１Ａの両側端のコ―ナ用の折目１４及びこれらにそれぞれ縦方向へ一直線状に連続する天面側端用折目１５を介して図示のように横方向へ連続させて、折曲げ加工可能なシートである１枚の厚紙の展開板に形成して製作される。
【００２０】
ベルト状把持部２０、２０Ａ、２０Ｂは、側面部１２、１２Ａ、１２Ｂに同一面状に上方へ形成され、かつ天面側端用折目１５を介して前側天面部１３及び後側天面部１３Ａ間に連設される両側の天面連設部２６、２６Ａ、２６Ｂと、徐々に同一横幅になって上昇し、かつベルト折畳用折目２３を介してベルト側面部２２が連設されて天面連設部２６〜２６Ｂに上方へ向けて延設されたベルト部２１とで形成されている。ベルト状把持部２０Ａは、横方向中間位置の縦方向の対称軸に対して左右対称に形成されている。また、側面部１２に貼着用の側面部１２Ｂが折重ねられた組立て状態で、ベルト状把持部２０、２０Ｂは、前後方向中間位置の垂直の対称軸に対してそれぞれ前後対称状となり、ベルト部２１の両側にベルト折畳用折目２３を介してベルト側面部２２が連設され、把持用ベルト部２０Ａに対して面対称状になる。側面部１２Ａのベルト部２１の横幅は、面対称状を前提にするが、ベルト部２１の折畳状態で相手方を挿入させ得るように、相対的に僅かに幅広に設定されている。
【００２１】
前側天面部１３及び後側天面部１３Ａの縦幅は、組立て状態での前面部１１及び後面部１１Ａ間の前後幅、即ち側面部１２、１２Ａ、１２Ｂの横幅の半分よりも広く設定されている。したがって、前面部１１及び後面部１１Ａの上端である前後の天面基端用折目１７間に形成される方形状の上方開口部を閉鎖するために、前側天面部１３及び後側天面部１３Ａを中間位置に向けて折曲げると、その天面上端縁１８同志が、上方開口部の上方で互いに当接して、前後に傾倒した山形を形成する。
【００２２】
ベルト側面部２２の側縁２４は、天面上端縁１８の側端から略同一曲率の曲線状に連続してベルト側面部２２の横幅を徐々に狭くする曲線領域２４ａを経て、この横幅をベルト部２１の横幅のよりも狭くするように直線状に上昇している。ベルト折畳用折目２３は、天面連設部２６〜２６Ｂにも介在するように、天面側端用折目１５の基端まで斜めに延長されている。即ち、図２に示す開口組立て状態において、前述の山形の折曲げにベルト状把持部２０、２０Ａ、２０Ｂを天面上端縁１８の上方へ向けて従動させ得るように、ベルト折畳用折目２３は、同一横幅のベルト部２１を形成させる両側の垂直状からベルト側面部２２の曲線領域２４ａに対応する高さ領域の曲線領域を経て徐々に傾斜直線になって天面側端用折目１５の基端まで延長されている。天面上端縁１８は、横方向へ水平状に延びると共に、両側では見栄えを考慮して曲線状に上昇している。このような構成により、図２から図３に至る過程で、前側天面部１３、後側天面部１３Ａの山形折曲げに連動して、天面連設部２６がこれらの天面部に対して谷折されるのと同時に、ベルト折畳用折目２３を介して山折される。この過程で、曲線領域２４ａは、上昇しつつ徐々に水平方向へ向かう曲線となって曲げられて、天面上端縁１８の上方に手を挿入させ得る縦幅の把持用開口部１０ａを形成すると共に、ベルト部２１も対応するその曲線領域で前側天面部１３、後側天面部１３Ａの上方へ曲げられる。曲線領域２４ａは、このようなベルト側面部２２の折返しに伴う前後の側縁２４同志の当接干渉を回避させるための逃げ形状にもなっている。
【００２３】
底面部３０は、前面部１１及び後面部１１Ａの下端折目３９を介してそれぞれ連設され、互いに非対称形状の底面前部３２及び底面後部３２Ａと、両側の側面部１２、１２Ａに下端折目３９を介して連設される非対称形状の底面側部３１、３１Ａとで形成される。底面前部３２及び底面後部３２Ａには、切込み部３３が形成され、その横方向の一方側が係入片３４として形成されている。組立てに際して、底面側部３１、３１Ａを水平位置へ折曲げ、次いで底面前部３２、底面後部３２Ａを折返すと共に、係入片３４を互い相手方の切込み部３３に係入させて、相手方の底面後部３２Ａ、底面前部３２の外面に重ねて水平底面を形成させる。この状態で、底面強度を確保するために、底面側部３１、３１Ａを内側から底面前部３２、底面後部３２Ａの上面に貼着する。
【００２４】
このように形成された展開板は、次のように容器に組立てられる。先ず４隅の折目１４及び上方へ連続する天面側端用折目１５で、前面部１１及び前側天面部１３と、側面部１２Ａ及び把持用ベルト部２０Ａと、後面部１１Ａ及び後側天面部１３Ａとを順に直角に折曲げ、次いで貼着用の側面部１２Ｂ及び把持用ベルト部２０Ｂを直角に側面部１２及び把持用ベルト部２０の内側に折曲げて、これらの対接面の全域を貼着させる。続いて、底面部３０を前述のように組立てることにより、図２に示す上方開口部が開口した直方体状に組立てる。
【００２５】
この開口状態において、商品を収納して、手に提げて持ち運べる状態に次のように組立てる。前側天面部１３、後側天面部１３Ａを前後方向中間位置へ向けて天面基端用折目１７をライン状の支点として折曲げ、天面上端縁１８の互いの当接により山形状に上方開口部を閉鎖させる。この折曲げに連動して、両側の天面連設部２６〜２６Ｂは、前後で天面側端用折目１５に隣合う領域が閉鎖位置へ折曲げられて前側天面部１３、後側天面部１３Ａに対して谷折されると共に、ベルト部２１に同一面状に連続する天面連設部領域に対してベルト折畳用折目２３を介して山折されて折畳まれる。さらに、この谷折に連動してベルト側面部２２がベルト折畳用折目２３で折返されると共に、天面上端縁１８の上方へ向けてわん曲する。その際、ベルト側面部２２の側縁２４の曲線領域２４ａは、上昇しつつ徐々に水平方向へ向かう曲線に曲げられて、前後の側縁２４間の干渉を回避させ、さらにベルト部２１も曲線領域２４ａに対応するベルト折畳用折目２３の曲線領域で一体にわん曲することにより、天面上端縁１８の上方に把持用開口部１０ａを形成する。また、山形の前側天面部１３及び後側天面部１３Ａの両側の前後の天面側端用折目１５間は、折畳まれた天面連設部２６で閉鎖される。これにより、両側のベルト部２１は、互いに連結可能になり、その幅広側に幅狭側を挿入する。
【００２６】
図３は、このような組立て完成状態を示すもので、ベルト側面部２２は、把持されると曲げ弾性を伴って折畳状態に撓む。ベルト状の把持感触が得られると共に、容器の両側から２枚重ねのベルトが容器本体と一体構造で形成されて商品荷重に対する強度が向上し、また山形の天面及び曲線状の把持用開口部による意匠的にも優れた外観となる。
【００２７】
この実施の形態に対する変形例として、折重ね用側面部１２Ｂを廃止すると共に、ベルト側面部２２を把持用ベルト部２０の両側に形成して面対称に形成することにより、貼着片或いは相手方のスリットに係入させる係入片を付設する等で直方体状に組立てることも考えられる。天面上端縁１８については、把持用開口部の大きさ或いは意匠性を考慮しなければ直線状にすることもできる。底面部についは、前面部１１の下端に折目を介して、下側開口部に対応した形状の底面部を連設し、その先端に折目を介して貼着片を連設して後面部１１Ａに貼着させる簡単な構成を含めて種々の変形例が考えられる。ベルトの連結状態は、厚紙による係合構造、貼着或いは別部材の追加で固定させることもできる。尚、組立て工程の追加を甘受するならば、２枚の展開板で形成することもでき、また折曲可能で、曲げ弾性も呈する合成樹脂性のシートを用いることも可能である。
【００２８】
図４乃至図６は本発明の別の実施の形態による手提げ式容器を示すもので、図６に示すように、この手提げ式容器４０は把持用開口部４０ａを備えて、容器周面のコ―ナ部が曲面状に形成されている。折曲げ加工可能な１枚の厚紙の展開板には、図４に示すように、前面部４１及び後面部４１Ａと、側面部４２、４２Ａ及び貼着用の側面部４２Ｂと、これらの側面部に上方へ向けて同一面状に延設されたベルト状把持部５０、５０Ａ、５０Ｂと、前面部４１及び後面部４１Ａから隣合う側面部４２、４２Ａ、４２Ｂへ部分的に侵入した円弧状の天面基端用折目４７を介してそれぞれ上方へ連設される前側天面部４３及び後側天面部４３Ａと、下方開口部を閉鎖する底面部６０とが、図示のように順に横方向へ連続して形成される。これらの組立て状態で対面する各部は、その組立て状態で互いに対称面状になる。
【００２９】
貼着用の側面部４２Ｂには、側面部４２の表面に重ねられた状態で対称面状になるが、追加部分として前面部４１に徐々に曲線状に下降して侵入する形状の正面侵入面４２ｂが延設され、その下端には折目を介してひれ部４２ｃが連設されている。また、組立て状態で、周面コ―ナ部が曲面状で、かつ正面視で横幅が下方へ向けて徐々に狭くなるように、前面部４１、後面部４１Ａの横幅は、下方へ向けて狭く設定されている。したがって、前述の各部を左右対称にするそれぞれの中間位置の縦方向対称軸は、傾斜して放射状となり、下端６９は、後述の底面部６０を水平状に形成するように、それぞれの縦方向対称軸に直交するが、全体的には円弧に沿った非直線状となる。
【００３０】
前側天面部４３及び後側天面部４３Ａの天面基端用折目４７は、両側部を除いて凹状円弧、つまり下半分の半円状である。天面上端縁４８は、上下幅が前面部４１及び後面部４１Ａの平坦面領域間の前後幅の半分よりも広い一定幅になるように、天面基端用折目４７を上方へシフトした円弧状に形成されている。但し、前後の天面上端縁４８同志を係合させる切込み部４９を中間位置に形成するために、中間領域に段差が形成され、したがって略同一の曲率の円弧状となる。つまり、図５に示す開口組立て状態で、前後の天面基端用折目４７間に形成される上方開口部を閉鎖するために、前側天面部４３を後方へ、後側天面部４３Ａを前方へ折曲げると、これらが傾倒して山形を形成して開口部上方の前後方向中間位置で天面上端縁４８同志が当接するようになっている。
【００３１】
ベルト状把持部５０、５０Ａ、５０Ｂは、傾斜した天面側端用折目５５を介して組立て状態で前側天面部４３及び後側天面部４３Ａ間に連設され、ベルト折畳用折目５３が介在する天面連設部５６〜５６Ｂと、その上端全域からベルト折畳用折目５３が介在する同一横幅のベルト側面部５２と共に上方へ延設された同一横幅のベルト部５１とを備えて、所属の側面部４２、４２Ａ、４２Ｂから同一面状に上方へ向けて形成され、組立て状態で面対称状になる。
【００３２】
天面上端縁４８は把持用開口部４０ａを形成し得る凹状であり、したがってその側端領域からベルト部５１を天面上端縁４８の上方へわん曲させるように、その側端の斜め下方位置に天面基端用折目４７が円弧状から徐々に略直線状に上昇している。つまり、天面側端用折目４５は、天面上端縁４８の側端からこのような天面基端用折目４７の側端、つまり下方へ略直線状に延長されたベルト折畳用折目５３の基端間に下向きの傾斜直線状に形成されている。側面部４２Ａに所属のベルト部５１の横幅は、そのベルト側面部５２の折畳状態で、相手方のベルト部５１を挿入させ得るように、相対的に僅かに幅広に設定され、またこれらのベルト側面部５２の横幅は、所属のベルト部５１の半分程度に設定されている。
【００３３】
したがって、図５の上方開口部の開口状態で、前側天面部４３、後側天面部４３Ａを山形に閉鎖位置へ折曲げるのに連動して、これらの天面部に対して両側の天面連設部５６〜５６Ｂが、それぞれ前後の天面側端用折目４５で谷折されると共に、ベルト折畳用折目５３を介して山折されて折畳まれる。この過程で、両側において、前後の下向き直線状の天面側端用折目４５が、徐々に傾斜を浅くしつつ互いに接近して水平方向へ向けて傾倒するのと連動して、ベルト側面部５２が折返されると共に、ベルト部５１も一体に前側天面部４３、後側天面部４３Ａの上方へわん曲し、凹形状の天面上端縁４８とで把持用開口部４０ａを形成する。
【００３４】
底面部６０は、前面部４１及び後面部４１Ａの下端６９の直線状の折目を介してそれぞれ連設され、下側開口部に対応した大きさで水平の折曲げ状態で互に重なるスリット６２付きで、かつ４隅が曲線状の底面片６１，６１Ａと、両側の側面部４２Ａ、４２Ｂの直線状の下端折目を介して連設された係入片６５、６５Ａとで形成される。一方の底面片６１には折目を介してひれ部６３が連設されている。係入片６５の先端部の両側には、折曲げ可能に係止部６６が形成されている。下端６９は、水平面を形成するように、各部でそれぞれの縦方向対称軸に直交する直線状であるが、横幅が縦方向に徐々に変化する曲面状コ―ナに対応して円弧に沿った形状になっている。また組立て状態で互いに干渉することなく、水平面を形成するように、各部間には隙間が介在している。組立てに際して、ひれ部６３付きの底面片６１をそのひれ部６３を折曲げて下方開口部を閉鎖させ、その裏側に相手方の底面片６１Ａを折曲げて正面侵入面４２ｂのひれ部４２ｃを挟持した状態で貼着する。次いで、両側で上下に重なったスリット６２に、係入片６５を折曲げて、その両側の係止部６６を内側に折り重ねて挿入し、続いてスリット６２の側方へ水平状に曲げ戻して係止させる。
【００３５】
このように形成された展開板は、次のように組立てられる。折重ね用の側面部４２Ｂ及びベルト状把持部５０Ｂを相手方の側面部４２及びベルト状把持部５０の表面に接面させて、側面部４２Ａ側にコ―ナ部を厚紙の曲げ弾性により曲面状に曲げて面対称状にすると共に、正面侵入面４２ｂを前面部４１の表面に接面にさせて接面全域を貼着し、続いて底面部６０をひれ部４２ｃの挟持状態で前述のように組立てることにより、図５に示すように、上方開口部が開口し、かつ横幅が上方へ向けて徐々に広くなるコ―ナ部曲面状の容器に組立てる。側面視で、両側にベルト側面部５２を連設されたベルト部５１が、これらの横方向全域で側面部４２〜４２Ｂに対して幅狭になって上昇すると共に、天面基端用折目４７が曲面状コ―ナ部に円弧状に侵入してきて、徐々に略直線状となってベルト折畳用折目５３に同一線状に連続して上昇する。
【００３６】
上方開口部を閉鎖させる際には、前側天面部４３、後側天面部４３Ａを円弧状の天面基端用折目４７を支点として前後方向中間位置に折曲げ、天面上端縁４８同志を互いに当接させて山形状の閉鎖状態にする。その際、天面上端縁４８のそれぞれの段差の高い側を切込み部４９に係入させて、段差の低い相手を下方から当接させる。この閉鎖折曲げに連動して、天面側端用折目４５を介して天面連設部５６〜５６Ｂのこの折目に隣合う領域が、ベルト側面部５２と一体に前面側天面部４３、後面側天面部４３Ａに対して谷折されると共に、ベルト折畳用折目５３を介してベルト部５１に対して山折される。この過程で、両側において前後の斜めの天面側端用折目４５が、互いに接近しつつその下り傾斜を浅くするようにベルト側面部５２を折返らせて水平方向へ向けて傾倒することにより、ベルト部５１も、一体に互いに連結し得るように前側天面部４３、後側天面部４３Ａへ向けてわん曲する。即ち、折返されたベルト側面部５２は、傾斜角度が変化する天面側端用折目４５を折目としてベルト部５１と一体に天面上端縁４８の上方へ曲げられる。前後の天面側端用折目４５間は、天面基端用折目４７の円弧形状により短くなった天面側端用折目４５に隣合う小領域の天面連設部５６〜５６Ｂで閉鎖される。
【００３７】
図６は、このような組立ての完成状態を示すもので、幅狭のベルト部５１及びそのベルト側面部５２が、幅広側に水平状に挿入されて、天面上端縁４８の円弧状立ち上がりを利用した把持用開口部４０ａが形成される。また、一方の幅広のベルト部５１に予め粘着させていた両面テープ５９（図５）を相手方に粘着させることにより、連結状態が固定される。これにより、ベルト状の把持感触が得られ、容器本体に一体の２枚重ねにより商品荷重に対する強度が向上するだけでなく、曲線及び曲面を備えた意匠性の優れた外観を呈する。正面侵入面４２ｂが前面部４１に現れて、その傾斜曲線状の側縁により、さらに特異な意匠効果も得られる。
【００３８】
天面上端縁４８及び両側部を除いた天面基端用折目４７は、同一曲率の半円形状であるが、種々の変形例が考えられる。例えば、天面基端用折目を非円弧の曲線状とし、天面上端縁をそのシフト形状でなく、山形を形成し得る縦幅の別の曲線にすることもできる。また、このような天面基端及び天面上端縁の折目は、コ―ナ部が曲面状でない直方体状の容器に形成することもできる。例えば、前述の図２に示す直方体状の容器において、天面基端用折目１７を凹状又は凸状の曲線にし、天面上端縁４８を天面の縦幅が容器の前後幅の半分よりも狭くならない範囲で全域にわたり曲線状にすることもできる。
【００３９】
図７乃至図９は本発明のさらに別の実施の形態による手提げ式容器を示すもので、図９に示すように、この手提げ式容器７０は把持用開口部７０ａが、手提げ部も含めて方形状に組立てられる。この容器は、図７に示すように、前面部７１及び後面部７１Ａと、両側の側面部７２、７２Ａと、前面部７１及び後面部７１Ａにそれぞれ天面基端用折目７７を介して上方へ連設された前側天面部７３及び後側天面部７３Ａと、これらの天面部間に天面側端用折目７５を介して連設され、かつ側面部７２、７２Ａに同一面状に上方へ向けて延設されたベルト状把持部８０、８０Ａと、図８に示す直方体状の開口組立状態で下方開口部を閉鎖する底面部９０とを、前面部７１、後面部７１Ａの側端のコ―ナ用の折目７４及びこれらにそれぞれ一直線状に上方へ連続する天面側端用折目７５を介して図示のように横方向へ連続するように、１枚の厚紙の展開板に形成して製作される。これらの組立て状態で対面する各部は、互いに対称面状になるように形成されている。
【００４０】
側面部７２及びベルト状把持部８０には、これらの一直線状の側端を折目として貼着片７９が連設され、その途中位置にベルト状把持部８０の折畳を拘束しないように三角形状の切欠部７９ａが介在している。下方開口部を閉鎖する底面部９０は、前面部７１、後面部７１Ａ及び両側の側面部７２、７２Ａの下端９９に、図１で説明したのと同様な構成部分を連設して形成されている。
【００４１】
ベルト状把持部８０、８０Ａは、天面側端用折目７５の縦幅に対応した略方形状の両側の天面連設部８６、８６Ａと、その横方向中間領域から上方へ向けて延設され、ベルト折畳用折目８３が介在してそれぞれ同一横幅で上昇するベルト側面部８２及びベルト部８１とを備えて、側面部７２、７２Ａの上方へ同一面状に形成されている。ベルト折畳用折目８３は、両側の天面連設部８６、８６Ａの前後に介在するように、ベルト部８１の基端の両側から天面側端用折目７５の基端まで傾斜直線状に延長されている。これらの天面連設部の前後の上端縁８７は、天面上端縁７８の側端から下向きに直線状に延びて、その延長線上にベルト側面部８２の基端のベルト側面基端用折目８８を形成し、さらにベルト部８１の基端に形成された水平方向のベルト基端用折目８９に連続している。これらのベルト状把持部は、貼着片７９を除いて、縦方向対称軸に対して左右対称に形成され、かつ面対称状であるが、側面部７２Ａのベルト部８１の横幅は、相手方より僅かに幅広に形成されている。
【００４２】
これにより、図８に示す開口した組立状態からの閉鎖折曲げに際して、前側天面部７３、後側天面部１３Ａが、天面基端用折目７７を支点として前後へ直角に折曲げられるのに連動して、天面連設部８６、８６Ａは、両側前後で天面側端用折目７５を介して前側天面部７３、後側天面部７３Ａに対してそれぞれ直角状に谷折されると共に、ベルト折畳用折目８３の傾斜領域を介して山折されて側面部７２、７２Ａと同一面状に折畳まれる。この過程において、ベルト側面基端用折目８８は、側面部７２、側面部７２Ａに沿った垂直面に折曲げられて、これに従動してベルト側面部８２は水平方向へ直角状に折曲げられ、連動してベルト部８１も一体にベルト基端用折目８９で直角状に折曲げられる。この際、傾斜した上端縁８７及びこれに連続するベルト側面基端用折目８８は、垂直面においてそれぞれ上昇するのに伴って互いに前後方向に徐々に離反する傾斜ラインとなり、両側前後のベルト側面部８２は、この傾斜ラインに沿って折返される。このベルト側面部８２の折返し角度は、先方領域ではさらに大きく撓ませてベルト部８１に折畳むことができる。
【００４３】
このような展開板は、次のように組立てられる。前面部７１、後面部１１Ａ及び側面部７２、側面部７２Ａ間の折目７４と、それぞれ一直線状の前側天面部７３、後側天面部７３Ａの天面側端用折目７５とで順に直角に折曲げ、次いで貼着片７９を直角に折曲げて後面部７１Ａ及び後側天面部７３Ａの内側に貼着し、続いて前述のように底面部９０を組立てることにより、図８に示すように、上方開口部が開口した直方体状に組立てる。
【００４４】
この状態で、前後の天面基端用折目７７間の上方開口部は、次のようにして閉鎖される。前側天面部７３及び後側天面部７３Ａを天面基端用折目７７を支点として前後方向中間位置に直角に折曲げて、それぞれの天面上端縁７８の互い当接状態で水平状に閉鎖させる。この折曲げに連動して、天面連設部８６、８６Ａが、前側天面部７３、後側天面部７３Ａに対し天面側端用折目７５で谷折されると共に、ベルト折畳用折目８３の傾斜領域を介して垂直面状に山折されて折畳まれる。この過程で、天面連設部８６、８６Ａの傾斜した上端縁８７及びこれに直線状に連続するベルト側面基端用折目８８は、水平閉鎖面に対して直交する垂直面において前側天面部７３側では前方へ、後側天面部７３Ａ側では後方へ徐々に上方へ向けて互いに離反する方向へ直線になる。これにより、両側のベルト側面部８２がその直線に沿って天面連設部８６、８６Ａに対して直角状に折返され、これと一体になって、ベルト部８１もベルト基端用折目８９で直角状に水平方向へ折曲げられる。したがって、図９に示す組立て完了状態において、両側の天面連設部８６、８６Ａが、水平閉鎖位置の前面側天面部７３、後面側天面部７３Ａに対して上方へ直角に突出して、ベルト部８１とで方形状の把持開口部７０ａが形成される。
【００４５】
図１０は、図４乃至図６による手提げ式容器の変形例を示すもので、同一部分は同一符号で説明する。ベルト部５１は互いに直接連結されず、それ自体周知の合成樹脂製の取手９５を介して連結される。この取手の両側には、本体に接触状態から曲げ弾性を呈して離反し得るように折返された係入片９５ａが形成されている。一方、把持用ベルト部５０、５０Ａ、５０Ｂには、組立て時に干渉しないように、先端領域で一方のベルト側面部５２の横幅をベルト部５１の横幅と同程度に変形して、係入片９５ａを２枚重ねで係入させる係入孔９６が穿孔されている。この穿孔は、双方のベルト側面部５２の先端領域の３枚重ね状態で行うこともでき、さらに先端側から折畳んで倍数枚にすることも考えられる。要するに、手提げ部がベルト状であることにより、係入孔が容易に形成され得ると共に、ベルト側面部５２の折畳により係入孔の強度も確保される。
【符号の説明】
【００４６】
１０、４０、７０  手提げ式容器
１０ａ、４０ａ、７０ａ  把持用開口部
１１、４１、７１  前面部
１１Ａ、４１Ａ、７１Ａ  後面部
１２、１２Ａ、１２Ｂ、４２、４２Ａ、４２Ｂ、７２、７２Ａ  側面部
１３、４３、７３  前側天面部
１３Ａ、４３Ａ、７３Ａ  後側天面部
１５、４５、７５  天面側端用折目
１７、４７、７７  天面基端用折目
２０、２０Ａ、２０Ｂ、５０、５０Ａ、５０Ｂ、８０、８０Ａ、ベルト状把持部
２１、５１、８１  ベルト部
２２．５２．８２  ベルト側面部
２３、５３、８３  ベルト折畳用折目
２４、５４  ベルト側面部の側縁
２４ａ  ベルト側面部の側縁の曲線領域
２６、２６Ａ、２６Ｂ、５６、５６Ａ、５６Ｂ、８６、８６Ａ  天面連設部
３０、６０、９０  底面部
８７  天面連設部の上端縁
８８  ベルト側面基端用折目
８９  ベルト基端用折目
９５  取手
９５ａ  係入片
９６  係入孔
【図１】
2015074455.tif 000003
【図２】
2015074455.tif 000004
【図３】
2015074455.tif 000005
【図４】
2015074455.tif 000006
【図５】
2015074455.tif 000007
【図６】
2015074455.tif 000008
【図７】
2015074455.tif 000009
【図８】
2015074455.tif 000010
【図９】
2015074455.tif 000011
【図１０】
2015074455.tif 000012